(57)【特許請求の範囲】
【請求項１】
液透過性の表面シート、液難透過性の裏面シート、及びこれらシート間に配された縦長の吸収体を備え、該裏面シートと該吸収体との間に、色の変化により排尿を知らせるホットメルト組成物からなるインジケーターが配され、腹側部と背側部と股下部とに区分された使い捨ておむつであって、
前記吸収体は、吸水性ポリマーを含む吸収性コア及び該吸収性コアを被覆するコアラップシートを有し、
前記裏面シートと前記コアラップシートの間に前記インジケーターを固定するインジケーター固定用ホットメルトを有しており、
前記吸収性コアは、前記股下部の幅方向中央部に、中央非積繊部を有し、該中央非積繊部は、縦方向に延びて形成されており、
前記インジケーターは、幅方向において前記中央非積繊部と重なっており、該中央非積繊部に沿って形成されており、
前記インジケーター固定用ホットメルトは、少なくとも前記股下部において、前記中央非積繊部及び前記インジケーターそれぞれと交差する方向に延びて形成されており、
前記インジケーター固定用ホットメルトとしてベースポリマーに極性基を導入した変性ベースポリマーを用い、該インジケーター固定用ホットメルトの坪量は、前記インジケーターの坪量よりも少なく、前記インジケーター固定用ホットメルトの接着強度は、前記インジケーターの接着強度よりも強い使い捨ておむつ。
【請求項２】
前記インジケーターは、縦方向において、前記中央非積繊部の前記腹側部側の端部及び前記背側部側の端部それぞれを越えて延在しており、
前記インジケーター固定用ホットメルトは、前記股下部において、前記中央非積繊部及び前記インジケーターそれぞれと交差する方向に延びる股下インジケーター固定用ホットメルトと、前記インジケーターの前記腹側部側の端部よりも腹側部寄りに幅方向に延びる腹側インジケーター固定用ホットメルトと、前記インジケーターの前記背側部側の端部よりも背側部寄りに幅方向に延びる背側インジケーター固定用ホットメルトとを有し、
前記股下インジケーター固定用ホットメルトは、縦方向においては、前記使い捨ておむつを２つに折り畳まれた際に生じる幅方向に延びる折り線の近傍に配され、
前記背側インジケーター固定用ホットメルトは、縦方向においては、前記インジケーターの前記背側部側の端部の近傍に配されている請求項１に記載の使い捨ておむつ。
【請求項３】
前記股下インジケーター固定用ホットメルトは、縦方向においては、前記使い捨ておむつを２つに折り畳まれた際に生じる幅方向に延びる折り線を跨いで前記腹側部寄りに配されている請求項１又は２に記載の使い捨ておむつ。
【請求項４】
前記吸収性コアの下面と前記コアラップシートとの間に該吸収性コア及び該コアラップシートを固定するコア固定用ホットメルトを有しており、
前記コア固定用ホットメルトは、縦方向又は幅方向において、前記インジケーター固定用ホットメルトと少なくとも一部重なっている請求項１〜３の何れか１項に記載の使い捨ておむつ。
【請求項５】
前記インジケーター固定用ホットメルト及び前記コア固定用ホットメルトは、ホットメルト組成物が配された部分と配されていない部分が混在するように配置されている請求項４に記載の使い捨ておむつ。
【請求項６】
前記吸収性コアは、前記股下部における幅方向中央部に高坪量部を有し、該高坪量部の両側に該高坪量部より低坪量の低坪量部を有している請求項１〜５の何れか１項に記載の使い捨ておむつ。
【発明の詳細な説明】
【技術分野】
【０００１】
本発明は、パンツ型使い捨ておむつ等の使い捨ておむつに関する。
【背景技術】
【０００２】
従来、装着者が排泄したか否かを色により判断するインジケーターを備えた使い捨ておむつが知られている。例えば、特許文献１には、吸収性コアと裏面シートとの間に、水分と接触すると視覚的に変化する親水性の組成物、所謂インジケーターが配されている使い捨ておむつが記載されている。
【０００３】
また、特許文献２には、吸収体とバックシートとの間に、尿と接することによって暖色以外の色に変色するインジケーターが塗工されており、インジケーターと重なるように、構成部材を相互に接着する接着剤が塗工された使い捨ておむつが記載されている。
【先行技術文献】
【特許文献】
【０００４】
【特許文献１】特開２００５−２１３９０号公報
【特許文献２】特開２０１０−１９４１２４号公報
【発明の概要】
【発明が解決しようとする課題】
【０００５】
特許文献１に記載の使い捨ておむつのインジケーターの組成物は、水分と接触すると視覚的に変化する変色物質と粘着性物質とを混合して形成されたものであり、特許文献１に記載の使い捨ておむつのインジケーターは、このように形成された組成物を、吸収性コア又は裏面シートの表面に塗布することにより、吸収性コア又は裏面シートの表面に固定されている。
【０００６】
しかし、特許文献１に記載の使い捨ておむつのインジケーターは、それ自体の粘着性によって吸収性コア又は裏面シートの表面に固定されているため、装着時の強制的な作用によりズレを生じたり、装着者の体液吸収後に粘着性の低下により固定が外れたりしてしまう場合があった。このようなズレや外れが発生すると、インジケーターの視認性の低下や、見栄えが悪くなってしまうという不具合を生じてしまう。
【０００７】
また、特許文献２に記載の使い捨ておむつは、インジケーター以外に、構成部材を相互に接着する接着剤が、インジケーターと重なるように塗工されているが、該接着剤は、おむつの長手方向に沿って延在する複数本からなり、複数本の接着剤が相互に並行するように配されているだけなので、やはりインジケーターのズレや外れを発生してしまう。
【０００８】
したがって、本発明の課題は、前述した従来技術が有する欠点を解消し得る使い捨ておむつを提供することにある。
【課題を解決するための手段】
【０００９】
本発明は、液透過性の表面シート、液難透過性の裏面シート、及びこれらシート間に配された縦長の吸収体を備え、該裏面シートと該吸収体との間に、色の変化により排尿を知らせるホットメルト組成物からなるインジケーターが配され、腹側部と背側部と股下部とに区分された使い捨ておむつであって、前記吸収体は、吸水性ポリマーを含む吸収性コア及び該吸収性コアを被覆するコアラップシートを有し、前記裏面シートと前記コアラップシートの間に前記インジケーターを固定するインジケーター固定用ホットメルトを有しており、前記吸収性コアは、前記股下部の幅方向中央部に、中央非積繊部を有し、該中央非積繊部は、縦方向に延びて形成されており、前記インジケーターは、幅方向において前記中央非積繊部と重なっており、該中央非積繊部に沿って形成されており、前記インジケーター固定用ホットメルトは、少なくとも前記股下部において、前記中央非積繊部及び前記インジケーターそれぞれと交差する方向に延びて形成されている使い捨ておむつを提供するものである。
【発明の効果】
【００１０】
本発明の使い捨ておむつによれば、装着時の強制的な作用によってもインジケーターがズレ難く、装着者の体液吸収後にも外れ難い。従って、インジケーターの視認性が向上し、外観不良も生じ難い。
【図面の簡単な説明】
【００１１】
【図１】図１は、本発明の第１実施形態であるパンツ型使い捨ておむつを示す斜視図である。
【図２】図２は、図１に示すパンツ型使い捨ておむつの展開且つ伸長状態を肌当接面側から見た一部破断平面図である。パンツ型使い捨ておむつについての展開且つ伸長状態とは、サイドシール部を引き剥がして、パンツ型使い捨ておむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
【図３】図３は、図２のＸ１−Ｘ１線断面図である。
【図４】図４は、本発明の第２実施形態であるパンツ型使い捨ておむつの展開且つ伸長状態を肌当接面側から見た一部破断平面図である（図２相当図）。
【図５】図５は、図４のＸ２−Ｘ２線断面図である（図３相当図）。
【図６】図６は、本発明の他の実施形態である使い捨ておむつの有する吸収性本体を肌当接面側から見た一部破断平面図である。
【図７】図７は、本発明の他の実施形態である使い捨ておむつの有する吸収性本体を肌当接面側から見た一部破断平面図である。
【図８】図８は、本発明の他の実施形態である使い捨ておむつの有する吸収性本体を肌当接面側から見た一部破断平面図である。
【発明を実施するための形態】
【００１２】
以下、本発明の使い捨ておむつを、その好ましい第１実施形態に基づき、図１〜図３を参照しながら説明する。
【００１３】
第１実施形態の使い捨ておむつ１Ａ（以下、「おむつ１Ａ」ともいう。）は、図１〜図３に示すように、液透過性の表面シート２、液難透過性、即ち、液不透過性又は撥水性の裏面シート３、及びこれらシート２，３間に配された縦長の吸収体４を備え、裏面シート３と吸収体４との間に、色の変化により排尿を知らせるホットメルト組成物からなるインジケーター５が配され、腹側部Ａと背側部Ｂと股下部Ｃとに区分されている。
おむつ１Ａは、図１〜図３に示すように、中心線ＣＬに対して左右対称に形成されている。
尚、各図中に示す「Ｙ」方向は、おむつ１の縦方向であり、中心線ＣＬに平行な方向であり、各図中に示す「Ｘ」方向は、おむつ１の幅方向であり、中心線ＣＬに垂直な方向である。以下、具体的に、おむつ１Ａについて説明する。
【００１４】
おむつ１Ａは、いわゆるパンツ型の使い捨ておむつであり、図１〜図３に示すように、表面シート２、裏面シート３、及びこれら両シート２，３間に配された吸収体４を具備する吸収性本体６と、吸収性本体６の非肌当接面側に位置して吸収性本体６を固定している外包材７とを備えている。
おむつ１Ａは、図２に示すように、その縦方向（Ｙ方向）に、腹側部Ａ、股下部Ｃ及び背側部Ｂに区分されている。おむつ１Ａの腹側部Ａは、装着時に、装着者の腹側に配される部位であり、背側部Ｂは、装着者の背側に配される部位であり、股下部Ｃは、装着者の股間部に配される部位である。
尚、本明細書において、「上面」と「肌対向面」とは同じ面を意味し、「下面」と「非肌対向面」とは同じ面を意味する。尚、「肌対向面」とは、おむつ１Ａを構成する各部材の表裏両面のうち、装着時に装着者の肌側に配される面であり、「非肌対向面」とは、おむつ１Ａを構成する各部材の表裏両面のうち、装着時に装着者の肌側とは反対側に向けられる面である。
おむつ１Ａには、図１に示すように、外包材７の腹側部Ａ側の両側縁部と背側部Ｂ側の両側縁部とが合掌状に接合されることによって、一対のサイドシール部Ｓ，Ｓ、ウエスト開口部ＷＯ及び一対のレッグ開口部ＬＯ，ＬＯが形成されている。
【００１５】
吸収体４は、図３に示すように、吸水性ポリマーを含む吸収性コア４０及び吸収性コア４０の上下面（肌対向面，非肌対向面）を被覆するコアラップシート４５を有している。詳述すると、おむつ１Ａにおける吸収性コア４０は、図２，図３に示すように、股下部Ｃにおける幅方向（Ｘ方向）中央部に高坪量部４１を有し、高坪量部４１の両側に高坪量部４１より低坪量の低坪量部４２を有している。高坪量部４１は、おむつ１Ａの中心線ＣＬに沿って延びている。おむつ１Ａの吸収性コア４０は、図２に示すように、腹側部Ａ側の方が背側部Ｂより幅の広い平面視して略Ｔ字状の上部吸収層４１１と、上部吸収層４１１より縦方向（Ｙ方向）及び幅方向（Ｘ方向）の寸法が大きい矩形状の下部吸収層４１２とを有しており、下部吸収層４１２上に上部吸収層４１１が積層されている部分が高坪量部４１、下部吸収層４１２上に上部吸収層４１１が積層されていない部分が低坪量部４２となる。
上部吸収層４１１は、おむつ１Ａの股下部Ｃから腹側部Ａに亘って配されており、上部吸収層４１１及び高坪量部４１は、何れも股下部Ｃの幅方向（Ｘ方向）中央部付近から腹側部Ａに向かって幅が拡大（漸増）している。下部吸収層４１２は、股下部Ｃを縦断して腹側部Ａ及び背側部Ｂに亘っている。
【００１６】
吸収性コア４０は、図２に示すように、股下部Ｃの幅方向（Ｘ方向）中央部に、中央非積繊部４３を有し、中央非積繊部４３は、縦方向（Ｙ方向）に延びて形成されている。詳述すると、吸収性コア４０の中央非積繊部４３は、おむつ１Ａにおいては、高坪量部４１及び低坪量部４２よりも低坪量に形成されている。おむつ１Ａにおける吸収性コア４０は、図２に示すように、高坪量部４１の幅方向（Ｘ方向）中央部に、縦方向（Ｙ方向）に延びる中央非積繊部４３を有し、また、低坪量部４２，４２それぞれに、側部非積繊部４４，４４を有している。側部非積繊部４４は、上部吸収層４１１（高坪量部４１）の縦方向（Ｙ方向）に延びる側縁と下部吸収層４１２（低坪量部４２）の縦方向（Ｙ方向）に沿って延びる側縁との間における上部吸収層４１１（高坪量部４１）寄りの部位に形成されている。また、側部非積繊部４４は、上部吸収層４１１（高坪量部４１）の側縁に沿って延びている。
【００１７】
尚、おむつ１Ａにおける吸収性コア４０は、上述したように、上部吸収層４１１及び下部吸収層４１２の多層から形成されているが、高坪量部４１と、高坪量部４１の両側に高坪量部４１より低坪量の低坪量部４２との単層で形成されていてもよく、単坪量の吸収層で形成されていてもよい（図示しない）。単坪量で形成する場合、単坪量の吸収層の幅方向（Ｘ方向）中央部に、縦方向（Ｙ方向）に延びる中央非積繊部４３を有し、また、中央非積繊部４３の左右それぞれに、側部非積繊部４４，４４を有している。中央非積繊部４３は、単坪量の吸収層よりも低坪量である。例えば、吸収性コア４０は、単坪量の吸収層が上記下部吸収層４１２のみから形成され、中央非積繊部４３が上記下部吸収層４１２よりも低坪量である。
【００１８】
おむつ１Ａにおける吸収性コア４０の中央非積繊部４３は、吸収性コアを形成する材料（コア形成材料）が全く存在しない貫通口であるが、低坪量部４２より少ない量のコア形成材料が２０ｇ／ｍ2程度に若干存在している場合も、同様な効果を奏しうるから非積繊部に含める。但し、非積繊部に存するコア形成材料の坪量は５０ｇ／ｍ2以下であることが好ましい。おむつ１Ａにおける吸収性コア４０の一対の側部非積繊部４４，４４についても同様である。
【００１９】
おむつ１Ａにおける中央非積繊部４３は、図２及び図３に示すように、上部吸収層４１１及び下部吸収層４１２に、両者を貫通する縦方向（Ｙ方向）に長い矩形状の貫通口を形成してなる。
上部吸収層４１１及び下部吸収層４１２の両者を貫通する貫通口は、例えば、上部吸収層４１１及び下部吸収層４１２を、それぞれ貫通口を有するものとして製造した後、両吸収層を、両者の貫通口どうしが重なるように積層して形成される。これに代えて、上部吸収層４１１及び下部吸収層４１２を、それぞれ貫通口を有しないものとして製造した後、そのそれぞれに貫通口を形成し、次いで両吸収層を、両者の貫通口どうしが重なるように積層してなるものであっても良い。更に、上部吸収層４１１及び下部吸収層４１２を、それぞれ貫通口を有しないものとして製造した後、両吸収層を重ね、次いで、両者を貫通する貫通口を一体的に形成したものであっても良い。
【００２０】
おむつ１Ａにおける中央非積繊部４３及び一対の側部非積繊部４４，４４は、図２に示すように、吸収性コア４０の縦方向（Ｙ方向）における腹側部Ａ側においては、中央非積繊部４３の端部４３ａの位置が、側部非積繊部４４それぞれの端部４４ａ，４４ａの位置より腹側部Ａ側に延出しており、吸収性コア４０の縦方向（Ｙ方向）における背側部Ｂ側においては、側部非積繊部４４それぞれの端部４４ｂ，４４ｂの位置が、それぞれ、中央非積繊部４３の端部４３ｂの位置より背側部Ｂ側に延出している。尚、中央非積繊部４３の端部４３ａは、おむつ１Ａにおいては、図２に示すように、腹側部Ａに達するまで延在していない。
【００２１】
インジケーター５は、図２に示すように、幅方向（Ｘ方向）において中央非積繊部４３と重なっており、中央非積繊部４３に沿って形成されている。おむつ１Ａにおけるインジケーター５は、図３に示すように、吸収体４のコアラップシート４５と裏面シート３との間に配されており、裏面シート３の肌対向面上に配されている。インジケーター５の色の変化は、裏面シート３及び外包材７越しに外部から視認可能になっている。おむつ１Ａのインジケーター５は、幅方向（Ｘ方向）において、おむつ１Ａを断面視して、幅方向（Ｘ方向）中央に配されており、中央非積繊部４３の幅の範囲内に配されている。また、おむつ１Ａのインジケーター５は、縦方向（Ｙ方向）において、中央非積繊部４３に沿って形成されており、中央非積繊部４３の腹側部Ａ側の端部４３ａ及び背側部Ｂ側の端部４３ｂそれぞれを越えて延在している。
【００２２】
更に詳述すると、おむつ１Ａのインジケーター５は、中心線ＣＬに対称に並列して配された２本の細長い線状のものであり、これら２本の細長い線状のインジケーター５それぞれが、縦方向（Ｙ方向）において、股下部Ｃを越えて背側部Ａ及び股下部Ｂに至るまで直線状に配されている。尚、おむつ１Ａのインジケーター５は、縦方向（Ｙ方向）においては、股下部Ｃを越えて背側部Ａ及び股下部Ｂに至るまで直線状に配されているが、中央非積繊部４３の縦方向（Ｙ方向）の全長に亘ってのみ配されていてもよく、吸収性コア４０の縦方向（Ｙ方向）の全長に亘って配されていてもよい。
【００２３】
図２に示すように、吸収性コア４０（吸収体４の長さと略同じ）の長さ（Ｌ）は、３００〜４５０ｍｍであることが好ましい。
図２に示すように、吸収性コア４０の中央非積繊部４３の長さ（Ｌ１）は、５０〜２５０ｍｍであることが好ましく、中央非積繊部４３の縦方向（Ｙ方向）に、尿を液拡散させ少量時でもインジケーター５の変色性を良好にする観点、中央非積繊部４３により吸収体４が屈曲しやすくなることによる着用時の着用良好性の観点、及び男女共用の吸収体４として排尿位置を網羅する観点から、１００〜２５０ｍｍであることが更に好ましい。
図２に示すように、インジケーター５の長さ（Ｌ２）（おむつ１Ａにおいては２本のインジケーターの長さ）は、１００〜３５０ｍｍであることが好ましく、着用時の前後（腹側部Ａ及び背側部Ｂ）からインジケーター５の視認のしやすさの観点から、１５０〜３００ｍｍであることが更に好ましい。
吸収性コア４０の長さ（Ｌ）に対する中央非積繊部４３の長さ（Ｌ１）の比（Ｌ１／Ｌ）は、０．１〜０．７であることが好ましく、０．３〜０．５であることが更に好ましい。
吸収性コア４０の長さ（Ｌ）に対するインジケーター５の長さ（Ｌ２）の比（Ｌ２／Ｌ）は、０．３〜０．８であることが好ましく、０．４〜０．６であることが更に好ましい。
中央非積繊部４３の長さ（Ｌ１）に対するインジケーター５の長さ（Ｌ２）の比（Ｌ２／Ｌ１）は、０．８〜２．２であることが好ましく、１．１〜１．７であることが更に好ましい。
【００２４】
上述したように、インジケーター５は、幅方向（Ｘ方向）においては、中央非積繊部４３と重なっており、おむつ１Ａにおいては、おむつ１Ａを断面視して、幅方向（Ｘ方向）中央に配されており、２本の細長い線状のインジケーター５が、中央非積繊部４３の幅の範囲内に配されている。
【００２５】
図３に示すように、股下部Ｃにおける吸収性コア４０（吸収体４の幅と略同じ）の幅（Ｗ）は、５０〜１８０ｍｍであることが好ましい。
図３に示すように、吸収性コア４０の中央非積繊部４３の幅（Ｗ１）は、１〜３０ｍｍであることが好ましく、中央非積繊部４３の縦方向（Ｙ方向）に、尿を液拡散させ少量時でもインジケーター５の変色性を良好にする観点、中央非積繊部４３により吸収体４が屈曲しやすくなることによる着用時の着用良好性の観点から、２〜２０ｍｍであることが更に好ましい。
図３に示すように、インジケーター５の幅（Ｗ２）（おむつ１Ａにおいては２本のインジケーターの合計幅）は、１〜２０ｍｍであることが好ましく、中央非積繊部４３により拡散された尿へ接触することによるインジケーター５の変色のしやすさの観点から、１．５〜１５ｍｍであることが更に好ましい。
吸収性コア４０の幅（Ｗ）に対する中央非積繊部４３の幅（Ｗ１）の比（Ｗ１／Ｗ）は０．０１〜０．６であることが好ましく、０．０２〜０．３であることが更に好ましい。
吸収性コア４０の幅（Ｗ）に対するインジケーター５の幅（Ｗ２）の比（Ｗ２／Ｗ）は、０．００５〜０．４であることが好ましく、０．０１〜０．２であることが更に好ましい。
中央非積繊部４３の幅（Ｗ１）とインジケーター５の幅（Ｗ２）との関係は、中央非積繊部４３により拡散された尿へ接触することにより尿が少量時でもインジケーター５の変色性がよく、視認性が向上する観点から、Ｗ２＜Ｗ１の場合の方が好ましい。
中央非積繊部４３の幅（Ｗ１）に対するインジケーター５の幅（Ｗ２）の比（Ｗ２／Ｗ１）は、インジケーター５の視認性との観点から、０．１〜１．０であることが好ましく、０．２〜０．８であることが更に好ましい。
【００２６】
本発明の使い捨ておむつは、図２，図３に示すように、裏面シート３とコアラップシート４５の間にインジケーター５を固定するインジケーター固定用ホットメルト８を有しており、インジケーター固定用ホットメルト８は、少なくとも股下部Ｃにおいて、中央非積繊部４３及びインジケーター５それぞれと交差する方向に延びて形成されている。詳述すると、インジケーター固定用ホットメルト８は、図３に示すように、コアラップシート４５と裏面シート３との間に配されたインジケーター５を覆うように、裏面シート３の肌対向面上に配されて、裏面シート３とコアラップシート４５の間にインジケーター５を固定している。インジケーター固定用ホットメルト８は、おむつ１Ａにおいては、図２に示すように、股下部Ｃに配され、中央非積繊部４３及びインジケーター５それぞれと直交する方向に延びる１本の股下インジケーター固定用ホットメルト８１を有している。尚、中央非積繊部４３及びインジケーター５それぞれと直交する方向は、おむつ１Ａにおいては、幅方向（Ｘ方向）と同じ方向である。また、インジケーター固定用ホットメルト８は、おむつ１Ａにおいては、図２に示すように、インジケーター５の腹側部Ａ側の端部５ａよりも腹側部Ａ寄りに幅方向（Ｘ方向）に延びる腹側インジケーター固定用ホットメルト８２と、インジケーター５の背側部Ｂ側の端部５ｂよりも背側部Ｂ寄りに幅方向（Ｘ方向）に延びる背側インジケーター固定用ホットメルト８３とを更に有している。
【００２７】
おむつ１Ａにおける股下インジケーター固定用ホットメルト８１は、縦方向（Ｙ方向）においては、おむつ１Ａを２つに折り畳まれた際に生じる幅方向（Ｘ方向）に延びる折り線Ｆ（図２参照）の近傍に配されていることが好ましく、おむつ１Ａにおいては、吸収性コア４０の高坪量部４１が腹側部Ａ側に配され腹側部Ａ側の方が厚く、装着時に外力の影響を受け易いと考えられるため、インジケーター５を積極的に固定したい観点から、折り線Ｆ（図２参照）を跨いで腹側部Ａ寄りに配されていることが更に好ましい。
【００２８】
おむつ１Ａにおける腹側インジケーター固定用ホットメルト８２は、図２に示すように、縦方向（Ｙ方向）においては、中央非積繊部４３と交差しない位置に配され、インジケーター５の腹側部Ａ側の端部５ａの側縁近傍に配されていることが好ましい。同様に、おむつ１Ａにおける背側インジケーター固定用ホットメルト８３は、図２に示すように、縦方向（Ｙ方向）においては、中央非積繊部４３と交差しない位置に配され、インジケーター５の背側部Ｂ側の端部５ｂの側縁近傍に配されていることが好ましい。
【００２９】
図２に示すように、おむつ１Ａにおける股下インジケーター固定用ホットメルト８１は、縦方向（Ｙ方向）の長さ（Ｌ３）が、１０〜１００ｍｍであることが好ましく、２０〜７０ｍｍであることが更に好ましい。腹側インジケーター固定用ホットメルト８２及び背側インジケーター固定用ホットメルト８３の縦方向（Ｙ方向）の長さも同様である。
中央非積繊部４３の長さ（Ｌ１）に対する股下インジケーター固定用ホットメルト８１の長さ（Ｌ３）の比（Ｌ３／Ｌ１）は、０．０５〜０．６であることが好ましく、０．１５〜０．４であることが更に好ましい。
インジケーター５の長さ（Ｌ２）に対する股下インジケーター固定用ホットメルト８１の長さ（Ｌ３）の比（Ｌ３／Ｌ２）は、０．０２〜０．５であることが好ましく、０．０８〜０．３であることが更に好ましい。
【００３０】
おむつ１Ａにおける股下インジケーター固定用ホットメルト８１は、幅方向（Ｘ方向）においては、インジケーター５を積極的に固定したい観点から、少なくともインジケーター５の幅よりも長く延在していることが好ましく、中央非積繊部４３の幅よりも長く延在していることが更に好ましく、上部吸収層４１１及び高坪量部４１の両側縁間に亘って延在していることが特に好ましい。股下インジケーター固定用ホットメルト８１は、おむつ１Ａにおいては、図３に示すように、一対の側部非積繊部４４，４４を越え、バックシート３の両側縁間に亘って、幅方向（Ｘ方向）に延在している。尚、腹側インジケーター固定用ホットメルト８２及び背側インジケーター固定用ホットメルト８３の幅方向（Ｘ方向）に関しては、股下インジケーター固定用ホットメルト８１と同様である。
【００３１】
図３に示すように、おむつ１Ａにおける股下インジケーター固定用ホットメルト８１は、幅方向（Ｘ方向）の長さ（Ｗ３）が、３０〜１５０ｍｍであることが好ましく、インジケーター５を積極的に固定し位置ずれを防ぐと共に、ホットメルト８によるおむつの風合い低下を防止する観点から、５０〜１００ｍｍであることが更に好ましい。腹側インジケーター固定用ホットメルト８２及び背側インジケーター固定用ホットメルト８３の幅方向（Ｘ方向）の長さも同様である。
吸収性コア４０の幅（Ｗ）に対する股下インジケーター固定用ホットメルト８１の幅（Ｗ３）の比（Ｗ３／Ｗ）は、０．３〜１．０であることが好ましい。腹側インジケーター固定用ホットメルト８２及び背側インジケーター固定用ホットメルト８３も同様である。
中央非積繊部４３の幅（Ｗ１）に対する股下インジケーター固定用ホットメルト８１の幅（Ｗ３）の比（Ｗ３／Ｗ１）は、１．５〜３０であることが好ましく、３〜２０であることが更に好ましい。腹側インジケーター固定用ホットメルト８２及び背側インジケーター固定用ホットメルト８３も同様である。
【００３２】
おむつ１Ａは、図２及び図３に示すように、吸収体４の縦方向（Ｙ方向）に延びる両側縁部に沿って、吸収性コア４０の側部部分を立ち上げるための弾性部材１０が配されている。おむつ１Ａの弾性部材１０は、吸収性コア４０を被覆するコアラップシート４５の内面及び／又は外面に沿って伸長状態で配されており、腹側部Ａ及び背側部Ｂに両端部が固定されている。
【００３３】
おむつ１Ａは、図２，図３に示すように、吸収性本体６の両側に、防漏カフ１２，１２が形成されている。おむつ１Ａの防漏カフ１２は、吸収性本体６に接合された防漏カフ形成用シート１２０、防漏カフ形成用シート１２０の自由端近傍に伸長状態で固定された防漏カフ形成用の弾性部材１２１、及び防漏カフ１２の固定端と自由端との間に伸長状態で固定された防漏カフ中間弾性部材１２２を備えている。
おむつ１Ａにおいては、図３に示すように、防漏カフ形成用シート１２０として、所定幅の帯状の撥水性シートの１枚を、その縦方向（Ｙ方向）に沿って二つ折りして、相対向する層間をホットメルト型接着剤又は部分的な熱シール若しくは超音波シール等で接合した２層構造のシートを用いており、前述した弾性部材１２１，１２２は、この２層構造シートの層間に伸長状態で固定されている。
【００３４】
おむつ１Ａにおいては、図３に示すように、表面シート２は、吸収体４の肌当接面側を被覆するとともに、その両側端部２１，２１が、吸収体４の非肌当接面側において、裏面シート３及び防漏カフ形成用シート１２０にヒートシール等の接着剤等の公知の接合手段により接合固定されている。
【００３５】
おむつ１Ａにおいては、図２，図３に示すように、外包材７は、２枚の外包材形成用シート７１，７２と、これら２枚のシート７１，７２間に伸長状態で固定された各部の弾性部材とからなる。即ち、２枚の外包材形成用シート７１，７２間には、ウエスト開口部ＷＯの周縁部にウエストギャザーを形成するウエスト部弾性部材７３，レッグ開口部ＬＯの周縁部にレッグギャザーを形成するレッグ部弾性部材７４，及び胴回り部Ｄ（ウエスト開口部ＷＯの周縁端から下方に２０ｍｍ離間した位置からレッグ開口部ＬＯの上端までの領域）に左右に分割された状態の胴回りギャザーを形成する胴回り弾性部材７５が、それぞれ伸長状態で、ホットメルト型接着剤等の任意の接合手段により接合固定されている。
外包材形成用シート７１，７２は、その縦方向（Ｙ方向）に関し、これら２枚のシートのうちの一方又は双方が、ウエスト開口部ＷＯの周縁部において折り返され、その折り返された部分が、吸収性本体６の前後端における吸収性本体６の肌当接面側に固定されている。
【００３６】
おむつ１Ａの各部の形成材料について説明する。
インジケーター５を構成するホットメルト組成物としては、通常、使い捨ておむつ等の吸収性物品に用いられるものであれば、特に制限なく用いることができるが、ｐＨの値が４を超えないように維持することが可能な酸性化合物であることが好ましい。酸性化合物であるホットメルト組成物としては、例えば、特開平１１−００４８５２号公報に記載の親水性組成物を用いることができる。
【００３７】
インジケーター固定用ホットメルト８としては、ベースポリマー、常温で固体の粘着付与成分、軟化剤成分及び酸化防止剤を構成成分して具備してなるホットメルト型接着剤等が挙げられる。
ベースポリマーとしては、スチレンブタジエンゴム（ＳＢＲ）、スチレン・ブタジエン・スチレンブロック共重合体（ＳＢＳ）、スチレン・イソプレン・スチレンブロック共重合体（ＳＩＳ）、スチレン・エチレン・ブチレン・スチレンブロック共重合体（ＳＥＢＳ）、スチレン・エチレン・プロピレン・スチレンブロック共重合体（ＳＥＰＳ）等が挙げられる。
また、湿潤状態での接着性や低温時での接着性を向上させるために、ベースポリマーに極性基を導入した変性ベースポリマーも用いられてもよく、ベースポリマーと変性ベースポリマーを適宜混合して用いられることもできる。
ベースポリマーに極性基（例えばカルボキシル基）を導入するには、共重合体に不飽和カルボン酸もしくは不飽和カルボン酸無水物をグラフト変性することにより導入することができる。例えば、不飽和カルボン酸としては、マレイン酸、フマル酸、イタコン酸、アクリル酸、メタクリル酸、クロトン酸、、ソルビン酸、ケイ皮酸、ビニル酢酸等が挙げられ、不飽和カルボン酸無水物としては、無水マレイン酸、無水イタコン酸等が挙げられる。不飽和カルボン酸もしくは不飽和カルボン酸無水物は、単独や２種類以上を混合して用いることができる。
ベースポリマー、またはベースポリマー／変性ベースポリマーの混合物は、５〜７５重量部の範囲で用いられる。
粘着付与成分としては、Ｃ5系石油樹脂、Ｃ9系石油樹脂、ジシクロペンタジエン系石油樹脂、ロジン系石油樹脂、ポリテルペン樹脂、テルペンフェノール樹脂等が挙げられ、５〜８５重量部の範囲で用いられる。
軟化剤成分としては、軟化点が１０℃以下で平均分子量が２００〜７００のプロセスオイル、鉱油、各種可塑剤、ポリブテン及び液状粘着付与樹脂などが挙げられ、０〜７５重量部の範囲で用いられる。
酸化防止剤としては、フェノール系酸化防止剤、アミン系酸化防止剤、リン系酸化防止剤、ベンズイミダゾール系酸化防止剤等が用いられ、０．５〜１０重量部の範囲で用いられる。また、これらの成分の他、通常粘着剤に用いられる成分を適宜添加することもできる。
インジケーター５を構成するホットメルト組成物が酸性の化合物である場合には、インジケーター５の変色防止の観点から、インジケーター固定用ホットメルト８を酸性に保つことが好ましく、インジケーター固定用ホットメルト８に酸性成分を適宜添加することが好ましい。酸性成分としては、有機酸および／または酸性塩などを用いることができる。有機酸としてはシュウ酸、クエン酸、フマル酸、酒石酸、りんご酸、コハク酸、マレイン酸があげられる。
【００３８】
インジケーター固定用ホットメルト８は、装着者の体液とインジケーター５との接触を妨げない観点から、裏面シート３の肌対向面上に全面塗布ではなく、ホットメルト組成物が塗布された部分と塗布されていない部分が混在するように塗布されていることが好ましい。噴霧の具体的な方法としては、例えば、スロットスプレー法、カーテンスプレー法、スパイラルスプレー法、コータースプレー法、オメガスプレー法、サミットスプレー法等が挙げられる。隙間を積極的に形成するように、蜘蛛の巣状に低坪量で塗布する観点から、特に、スロットスプレー法、カーテンスプレー法の塗布方法が好ましい。
【００３９】
インジケーター固定用ホットメルト８の塗布坪量は、装着者の体液とインジケーター５との接触を妨げ難く、ホットメルト８によるおむつの風合い低下を防止する観点から、インジケーター５の塗布坪量と同量かそれよりも少ないことが好ましく、インジケーター５の塗布坪量よりも少ないことが更に好ましい。具体的には、インジケーター固定用ホットメルト８の塗布坪量は、１〜２５ｇ／ｍ2であることが好ましく、２〜１５ｇ／ｍ2であることが更に好ましい。また、インジケーター５の塗布坪量は、１０〜６０ｇ／ｍ2であることが好ましく、１５〜４０ｇ／ｍ2であることが更に好ましい。
【００４０】
インジケーター固定用ホットメルト８の塗布坪量は、上述したように、インジケーター５の塗布坪量よりも少ないにも拘わらず、インジケーター固定用ホットメルト８の接着強度は、インジケーター５の接着強度よりも強いことが好ましい。具体的には、インジケーター固定用ホットメルト８の塗布坪量が５ｇ／ｍ2である際の乾燥時の接着強度が、１Ｎ／５０ｍｍ以上であることが好ましく、３Ｎ／５０ｍｍ以上（もしくは材料破断）であることが更に好ましい。また、インジケーター５の塗布坪量が、２０ｇ／ｍ2である際の乾燥時の接着強度が、０．０５〜２Ｎ／５０ｍｍであることが好ましく、０．０５〜１Ｎ／５０ｍｍであることが更に好ましい。
また、インジケーター固定用ホットメルト８の塗布坪量が５ｇ／ｍ2である際の湿潤時の接着強度が、０．５Ｎ／５０ｍｍ以上であることが好ましく、１Ｎ／５０ｍｍ以上（もしくは材料破断）であることが更に好ましい。また、インジケーター５の塗布坪量が、２０ｇ／ｍ2である際の湿潤時の接着強度が、０．０３〜２Ｎ／５０ｍｍであることが好ましく、０．０３〜１Ｎ／５０ｍｍであることが更に好ましい。
なお、コアラップシート４５は親水性不織布であると湿潤時のインジケーター固定用ホットメルト８の接着強度の低下が少ないため、排泄後においても着用時のインジケータの位置ずれを抑制することができ、視認性をより継続することができる。
インジケーター固定用ホットメルト８の接着強度、及びインジケーター５の接着強度は、以下の方法により測定する。
【００４１】
＜接着強度の測定方法＞
おむつ１Ａを構成する吸収体４のコアラップシート４５（１００ｍｍ幅）に、インジケーター固定用ホットメルト８またはインジケーター５を構成するホットメルトを所定の塗布量となるようにコータースプレー（１５ｍｍ幅）で塗布し、おむつ１Ａを構成する裏面シート３と同じ形成材料のシート（１００ｍｍ幅）で貼り合わせて複合シートを作製する。（作製条件としては、速度３０ｍ／ｍｉｎ、オープンタイム０．２ｓ、プレスロール荷重０．２ｋｇｆであり、塗布時にホットメルトが染み出す場合は剥離シートを補助シートとして使用する。）
この作製された複合シートについて、２４時間放置後、引張試験機を用いて複合シートの幅方向に、１８０°剥離試験（引張速度３００ｍｍ／ｍｉｎ、測定温度２２℃）を行い、接着強度を測定する（ＤＲＹ条件での測定）。
湿潤時の測定は、測定片を測定温度２２℃のイオン交換水に浸漬した後、余分な水をティッシュで拭取った後、測定する（ＷＥＴ条件での測定）。
【００４２】
吸収性本体６を構成する表面シート２及び裏面シート３としては、通常、使い捨ておむつ等の吸収性物品に用いられるものであれば、特に制限なく用いることができる。例えば、表面シート２としては、親水性且つ液透過性の不織布等を用いることができ、裏面シート３としては、液不透過性又は撥水性の樹脂フィルムや樹脂フィルムと不織布の積層体等を用いることができる。
外包材７を構成する外包材形成用シート７１，７２としては、通常、使い捨ておむつ等の吸収性物品に用いられるものであれば、特に制限なく用いることができる。例えば、外包材形成用シート７１，７２としては、撥水性の不織布を用いることができる。
【００４３】
吸収性本体６の吸収体４の吸収性コア４０を構成する繊維集合体の繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。繊維集合体は、空気流に載せて供給した繊維材料を、所定形状の凹部内に吸引して堆積させる積繊工程を経て得られるものが好ましい。繊維材料とともに機能性材料を混合積繊したものであっても良い。機能性材料の保持形態は、２枚の繊維集合体間に挟んで保持する形態や、混合積繊して繊維間に保持させた状態等が挙げられる。繊維及び吸水性ポリマー等の機能性材料は、それぞれ、一種又は二種以上を組み合わせて用いることができる。吸収性コア４０を構成する吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。吸収性本体６の吸収体４を構成するコアラップシート４５としては、ティッシュペーパー等の薄紙や透水性の不織布等が挙げられる。
【００４４】
防漏カフ形成用シート１２０としては、スパンボンド・メルトブローン・スパンボンド等からなる多層構造の複合不織布、スパンボンド不織布、ヒートボンド不織布、エアスルー不織布等を用いることができる。
各部に配される弾性部材１０，７３，７４，７５，１２１，１２２の形態は、糸状のもの（糸ゴム等）、所定幅の帯状のもの（平ゴム等）等が好ましく、特に糸状のものが好ましい。各部に配される弾性部材１０，７３，７４，７５，１２１，１２２の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００４５】
上述した本発明の第１施形態の使い捨ておむつ１Ａを使用した際の作用効果について説明する。
おむつ１Ａは、図２，図３に示すように、裏面シート３と吸収体４のコアラップシート４５の間にインジケーター固定用ホットメルト８（股下インジケーター固定用ホットメルト８１）を有しており、吸収体４の吸収性コア４０の幅方向（Ｘ方向）中央部に、縦方向（Ｙ方向）に延びる中央非積繊部４３を有しており、インジケーター５が幅方向（Ｘ方向）において中央非積繊部４３と重なり中央非積繊部４３に沿って形成されており、インジケーター固定用ホットメルト８（股下インジケーター固定用ホットメルト８１）が、股下部Ｃにおいて、中央非積繊部４３及びインジケーター５それぞれと交差する方向に延びて形成されている。その為、インジケーター５自体の粘着性のみならずインジケーター固定用ホットメルト８（股下インジケーター固定用ホットメルト８１）によっても、裏面シート３とコアラップシート４５の間に固定されているため、装着時の強制的な作用によりズレが生じ難く、装着者の体液吸収後にもインジケーター５の固定が外れ難い。このようにインジケーター５のズレや外れが生じ難いので、インジケーター５の視認性が低下し難く、見栄えが悪くなり難い。
【００４６】
また、おむつ１Ａは、図２，図３に示すように、インジケーター固定用ホットメルト８が、股下部Ｃに配された股下インジケーター固定用ホットメルト８１以外に、インジケーター５の腹側部Ａ側の端部５ａよりも外方に幅方向（Ｘ方向）に延びる腹側インジケーター固定用ホットメルト８２と、インジケーター５の背側部Ｂ側の端部５ｂよりも外方に幅方向（Ｘ方向）に延びる背側インジケーター固定用ホットメルト８３とを更に有している。その為、インジケーター５の縦方向（Ｙ方向）の両端部５ａ，５ｂが裏面シート３とコアラップシート４５の間に挟持され固定されているため、装着時の強制的な作用によりズレが更に生じ難く、装着者の体液吸収後にインジケーター５の固定が更に外れ難い。
【００４７】
また、おむつ１Ａは、図２，図３に示すように、インジケーター５が、幅方向（Ｘ方向）において、おむつ１Ａを断面視して、中央非積繊部４３の幅の範囲内に配されており、縦方向（Ｙ方向）において、中央非積繊部４３に沿って形成されている。その為、装着者の体液が中央非積繊部４３に沿って縦方向に拡散し易く、体液の拡散に伴ってインジケーター５の変色も起き易い。
【００４８】
次に、本発明の第２実施形態の使い捨ておむつについて、図４，図５に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、おむつ１Ａと同様であり、おむつ１Ａの説明が適宜適用される。
【００４９】
おむつ１Ｂの備えるインジケーター固定用ホットメルト８は、図４に示すように、おむつ１Ａと同様に、股下インジケーター固定用ホットメルト８１と、腹側インジケーター固定用ホットメルト８２と、背側インジケーター固定用ホットメルト８３とを有している。
おむつ１Ｂにおける腹側インジケーター固定用ホットメルト８２は、図４に示すように、縦方向（Ｙ方向）においては、中央非積繊部４３のみならず、インジケーター５の腹側部Ａ側の端部５ａとも交差しない位置に配されており、インジケーター５の端部から２０〜１２０ｍｍの間隔を空けて外方に配されていることが好ましい。
同様に、おむつ１Ｂにおける背側インジケーター固定用ホットメルト８３は、図４に示すように、縦方向（Ｙ方向）においては、中央非積繊部４３のみならず、インジケーター５の背側部Ｂ側の端部５ｂとも交差しない位置に配されており、インジケーター５の端部５ｂから２０〜１２０ｍｍの間隔を空けて外方に配されていることが好ましい。
【００５０】
おむつ１Ｂは、図４，図５に示すように、吸収体４の吸収性コア４０の下面（非肌対向面）と吸収体４のコアラップシート４５との間に吸収性コア４０及びコアラップシート４５を固定するコア固定用ホットメルト９を更に有している。コア固定用ホットメルト９は、縦方向（Ｙ方向）又は幅方向（Ｘ方向）において、インジケーター固定用ホットメルト８と少なくとも一部重なっている。詳述すると、おむつ１Ｂにおけるコア固定用ホットメルト９は、図５に示すように、吸収性コア４０を構成する下部吸収層４１２の下面（非肌対向面）と吸収体４のコアラップシート４５との間に配されており、縦方向（Ｙ方向）においては、図４に示すように、下部吸収層４１２の縦方向（Ｙ方向）の全域に亘って配され、幅方向（Ｘ方向）においては、図４，図５に示すように、下部吸収層４１２の幅方向（Ｘ方向）の全域に亘って配されている。従って、コア固定用ホットメルト９は、おむつ１Ｂにおいては、縦方向（Ｙ方向）及び幅方向（Ｘ方向）それぞれにおいて、インジケーター固定用ホットメルト８を構成する股下インジケーター固定用ホットメルト８１の全域に重なるように配されている。
【００５１】
また、コア固定用ホットメルト９は、おむつ１Ｂにおいては、縦方向（Ｙ方向）及び幅方向（Ｘ方向）それぞれにおいて、腹側インジケーター固定用ホットメルト８２の全域と重なっており、更に、背側インジケーター固定用ホットメルト８３の全域とも重なっている。
【００５２】
尚、上述したように、コア固定用ホットメルト９は、おむつ１Ｂにおいては、図４に示すように、吸収性コア４０を構成する下部吸収層４１２の下面（非肌対向面）全域に亘って配されているが、縦方向（Ｙ方向）又は幅方向（Ｘ方向）において、インジケーター固定用ホットメルト８と少なくとも一部重なっていればよい。例えば、コア固定用ホットメルト９は、吸収性コア４０の中央非積繊部４３を囲むように、吸収性コア４０の中央非積繊部４３の外周縁に沿って、ロの字状に配されていてもよい。このように、コア固定用ホットメルト９がロの字状に配されると、バックシート３の両側縁間に亘って幅方向（Ｘ方向）に延在する股下インジケーター固定用ホットメルト８１の一部と重なるようになる。股下インジケーター固定用ホットメルト８１の全面積に対する、おむつ１Ｂを平面視した際の股下インジケーター固定用ホットメルト８１とコア固定用ホットメルト９との重なる部分の面積の比は、中央非積繊部４３とインジケーター５の位置ずれを防ぐ観点から、０．４〜１．０であることが好ましく、０．６〜０．９であることが更に好ましい。
【００５３】
第２実施形態の使い捨ておむつ１Ｂの形成材料について説明する。第２実施形態の使い捨ておむつ１Ｂについては、第１実施形態の使い捨ておむつ１Ａの形成材料と異なる点について説明する。特に説明しない点は、おむつ１Ａと同様であり、おむつ１Ａの説明が適宜適用される。
【００５４】
おむつ１Ｂのコア固定用ホットメルト９としては、インジケーター５を構成するホットメルト組成物が酸性の化合物である場合には、インジケーター５の変色防止の観点から、インジケーター固定用ホットメルト８と同様に、酸性の化合物を用いることが好ましい。コア固定用ホットメルト９を構成する酸性化合物としては、インジケーター固定用ホットメルト８を構成する酸性化合物と同様な化合物が挙げられる。コア固定用ホットメルト９は、インジケーター固定用ホットメルト８と同様に、装着者の体液とインジケーター５との接触を妨げない観点から、ホットメルト組成物が塗布された部分と塗布されていない部分が混在するように塗布されていることが好ましい。コア固定用ホットメルト９の塗布方法は、インジケーター固定用ホットメルト８と同じ塗布方法を用いることができる。
【００５５】
コア固定用ホットメルト９の塗布坪量は、装着者の体液とインジケーター５との接触を妨げ難く、ホットメルトによるおむつの風合い低下を防止する観点から、インジケーター５の塗布坪量よりも少なく、インジケーター固定用ホットメルト８の塗布坪量と同量か少ないことが好ましい。具体的には、コア固定用ホットメルト９の塗布坪量は、１〜２０ｇ／ｍ2であることが好ましく、２〜１０ｇ／ｍ2であることが更に好ましい。
【００５６】
上述した本発明の第２実施形態の使い捨ておむつ１Ｂを使用した際の作用効果について説明する。
第２実施形態の使い捨ておむつ１Ｂの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００５７】
おむつ１Ｂは、図４，図５に示すように、吸収体４の吸収性コア４０の下面（非肌対向面）と吸収体４のコアラップシート４５との間に吸収性コア４０及びコアラップシート４５を固定するコア固定用ホットメルト９を更に有しており、コア固定用ホットメルト９は、裏面シート３と吸収体４のコアラップシート４５の間に配されたインジケーター固定用ホットメルト８（股下インジケーター固定用ホットメルト８１）と少なくとも一部重なっている。その為、吸収性コア４０、コアラップシート４５、インジケーター５及び裏面シート３が一体的に固定されている部分を有しており、装着者の体液吸収後にもインジケーター５の固定が外れ難い。
【００５８】
特に、おむつ１Ｂのコア固定用ホットメルト９は、図４示すように、吸収性コア４０を構成する下部吸収層４１２の下面（非肌対向面）全域に亘って形成されているので、装着時の強制的な作用が働いても、装着者の体液を吸収した後であっても、中央非積繊部４３の形状を含む下部吸収層４１２の形状が変わり難く、吸収性コア４０、コアラップシート４５、インジケーター５及び裏面シート３の一体性が保持され易い。従って、装着者の体液がインジケーター５に移行し易く、インジケーター５の変色も起き易い。
【００５９】
本発明の使い捨ておむつは、上述の第１，第２実施形態の使い捨ておむつ１Ａ，１Ｂに何ら制限されるものではなく、適宜変更可能である。また、上述の第１，第２実施形態の使い捨ておむつ１Ａ，１Ｂにおける各構成要件は、本発明の趣旨を損なわない範囲で、適宜組み合わせて実施できる。
【００６０】
例えば、上述の第１，第２実施形態の使い捨ておむつ１Ａ，１Ｂにおいては、図２，図４に示すように、インジケーター固定用ホットメルト８が、股下部Ｃに股下インジケーター固定用ホットメルト８１を有し、更に、インジケーター５の端部５ａよりも外方に腹側インジケーター固定用ホットメルト８２及びインジケーター５の端部５ｂよりも外方に背側インジケーター固定用ホットメルト８３を有しているが、股下部Ｃにのみ股下インジケーター固定用ホットメルト８１を有していればよい。
【００６１】
上述の第１，第２実施形態の使い捨ておむつ１Ａ，１Ｂにおいては、図２，図４に示すように、インジケーター５が、幅方向（Ｘ方向）においては、中央非積繊部４３の幅以内に配されており、中央非積繊部４３の幅（Ｗ１）とインジケーター５の幅（Ｗ２）との関係が、Ｗ１＞Ｗ２であるが、Ｗ２＞Ｗ１となってもよい。
また、上述の第１，第２実施形態の使い捨ておむつ１Ａ，１Ｂにおいては、図２，図４に示すように、インジケーター５が、２本の線状のインジケーターで形成されているが、幅広の１本のインジケーターで形成されていてもよい。
【００６２】
また、上述の第１，第２実施形態の使い捨ておむつ１Ａ，１Ｂにおいては、図２，図４に示すように、インジケーター固定用ホットメルト８が、股下部Ｃに、幅方向（Ｘ方向）に延びる股下インジケーター固定用ホットメルト８１を１本のみ有しているが、複数本であってもよい。例えば、インジケーター５が、縦方向（Ｙ方向）において、股下部Ｃを越えて背側部Ａ及び股下部Ｂに至るまで延在せずに、吸収体４の中央非積繊部４３の縦方向（Ｙ方向）の全長に亘ってのみ配されている場合には、図６，図７，図８に示すように、股下インジケーター固定用ホットメルト８１を配してもよい。以下、図６，図７，図８に示す股下インジケーター固定用ホットメルト８１の形態について詳述する。
【００６３】
図６に示す使い捨ておむつの吸収性本体６は、幅方向（Ｘ方向）に延在する３本の股下インジケーター固定用ホットメルト８１を有している。３本の股下インジケーター固定用ホットメルト８１１，８１２，８１３の縦方向（Ｙ方向）の配置位置について詳述すると、最も腹側部Ａ寄りに配されている股下インジケーター固定用ホットメルト８１１は、インジケーター５の腹側部Ａ側の端部５ａ近傍に配されており、インジケーター５の端部５ａと腹側インジケーター固定用ホットメルト８２との間に配されている。また、最も背側部Ｂ寄りに配されている股下インジケーター固定用ホットメルト８１２は、インジケーター５の背側部Ｂ側の端部５ｂ近傍に配されており、インジケーター５の端部５ｂと背側インジケーター固定用ホットメルト８３との間に配されている。そして、残りの股下インジケーター固定用ホットメルト８１３は、おむつを２つに折り畳まれた際に生じる幅方向（Ｘ方向）に延びる折り線Ｆを跨いで折り線Ｆに沿って配されている。３本の股下インジケーター固定用ホットメルト８１１，８１２，８１３は、幅方向（Ｘ方向）においては、中央非積繊部４３の幅よりも長く延在している。このような３本の股下インジケーター固定用ホットメルト８１１，８１２，８１３を有することにより、インジケーター５の縦方向（Ｙ方向）の両端部５ａ，５ｂ及び中央を固定し、ズレの発生を抑えることができる。
【００６４】
図７に示す使い捨ておむつの吸収性本体６は、幅方向（Ｘ方向）に延在する複数の股下インジケーター固定用ホットメルト８１を有している。各股下インジケーター固定用ホットメルト８１は、それぞれ、吸収体４の中央非積繊部４３及びインジケーター５それぞれと直交するように配されており、縦方向（Ｙ方向）に略等間隔を空けて配されている。このように、複数本の股下インジケーター固定用ホットメルト８１を有することにより、通気性を損なうことなくインジケーター５を固定し、ズレの発生を抑えることができる。
【００６５】
図８に示す使い捨ておむつの吸収性本体６は、幅方向（Ｘ方向）に延びる１本の股下インジケーター固定用ホットメルト８１を有し、更に、吸収体４の中央非積繊部４３の両側縁外方に側縁に沿って縦方向（Ｙ方向）に延在する一対の縦長ホットメルト８１４，８１４を有している。一対の縦長ホットメルト８１４，８１４は、それぞれ、中央非積繊部４３の縦方向（Ｙ方向）の全長に亘ってのみ配されている。このように、一対の縦長ホットメルト８１４，８１４を更に有することにより、着用時の中央非積繊部４３とインジケーター５の位置ずれを防止できる。尚、このような一対の縦長ホットメルト８１４，８１４は、図６，図７に示す吸収性本体６に配されていてもよい。
【００６６】
本発明の使い捨ておむつは、パンツ型使い捨ておむつ以外にも、例えば、展開型の使い捨ておむつ等に好適に用いることができる。
また、使い捨ておむつは、幼児又は成人用の使い捨ておむつであってもよい。
【実施例】
【００６７】
以下、本発明を実施例により更に具体的に説明するが、本発明は斯かる実施例に限定されるものではない。
【００６８】
〔実施例１〕
実施例１では、上述した図２，図３に示す第１実施形態に示す構造の使い捨ておむつを想定して、上述の＜接着強度の測定方法＞で述べた複合シートを作製し、ＤＲＩ条件及びＷＥＴ条件での接着強度を測定した。
裏面シート３としては、ポリオレフィン系樹脂と炭酸カルシウム、軟質効果及び分散効果とを有する添加剤を２種類混練し、延伸加工して得た厚み２０ｇ／ｍ2の透湿性フィルムを用い、コアラップシート４５としては、目付１６ｇ／ｍ2のティッシュペーパーを用いた。
また、インジケーター５としては、ボスティック・ニッタ株式会社製のウエットネスインジケーター（品番Ｈ９４９０）を用い、インジケーター固定用ホットメルト８としては、スチレン・エチレン・ブチレン・スチレン共重合体及び変性スチレン・エチレン・ブチレン・スチレン共重合体を混合したベースポリマーと、Ｃ５系石油樹脂及びＣ９系石油樹脂を混合した粘着付与成分と、プロセスオイルからなる軟化剤成分と、更に酸化防止剤とを所定量配合してなるホットメルト型接着剤を用いた。
上述の＜接着強度の測定方法＞で述べた通りに、前記構成のコアラップシート４５に、前記成分からなるインジケーター５を表１に示す塗布量となるように塗布し、次いで、前記成分からなるインジケーター固定用ホットメルト８を表１に示す塗布量となるように塗布し、前記構成の裏面シート３を貼り合わせて複合シートを作製した。
【００６９】
〔実施例２〕
実施例２では、実施例１と同様に、上述した図２，図３に示す第１実施形態に示す構造の使い捨ておむつを想定して、複合シートを作製した。
実施例２の複合シートにおいては、実施例１に用いたティッシュペーパーからなるコアラップシート４５を、目付１０ｇ／ｍ2の親水性の不織布に変更する以外は、実施例１と同様にして複合シートを作製した。具体的には、前記構成のコアラップシート４５に、前記成分からなるインジケーター５を表２に示す塗布量となるように塗布し、次いで、前記成分からなるインジケーター固定用ホットメルト８を表２に示す塗布量となるように塗布し、前記構成の裏面シート３を貼り合わせて複合シートを作製した。
【００７０】
〔評価〕
実施例１〜２の各複合シートについて、上述の＜接着強度の測定方法＞で述べた通りに、ＤＲＹ条件及びＷＥＴ条件での接着強度を測定した。これらの結果を下記表１，表２に示す。
【００７１】
【表１】
0005922339.tif 000002
【００７２】
【表２】
0005922339.tif 000003
【００７３】
表１，表２の結果から明らかなように、実施例１〜２の各複合シートは、何れも、ＤＲＹ条件のみならずＷＥＴ条件においても、前記成分からなるインジケーター固定用ホットメルト８の接着強度の方が、前記成分からなるインジケーター５の接着強度よりも、それらの塗布量が同じ場合、常に高いことが判った。従って、実施例１，実施例２に用いた、裏面シート３、コアラップシート４５、インジケーター５及びインジケーター固定用ホットメルト８を採用して、例えば、図２，図３に示す第１実施形態に示す構造の使い捨ておむつを作製すれば、装着時の強制的な作用によってもインジケーターがズレ難く（ＤＲＹ条件を想定）、装着者の体液吸収後にも外れ難い（ＷＥＴ条件を想定）おむつとなると考えられる。このように、実施例１，実施例２に用いた、裏面シート３、コアラップシート４５、インジケーター５及びインジケーター固定用ホットメルト８を採用して作製された使い捨ておむつは、インジケーターの視認性が向上し、外観不良も生じ難いと考えられる。
【符号の説明】
【００７４】
１Ａ，１Ｂ  使い捨ておむつ
２  表面シート
３  裏面シート
４  吸収体
４０  吸収性コア
４１  高坪量部
４１１  上部吸収層
４２  低坪量部
４１２  下部吸収層
４３  中央非積繊部
４４  側部非積繊部
４５  コアラップシート
５  インジケーター
６  吸収性本体
７  外包材
７１，７２  外包材形成用シート
８  インジケーター固定用ホットメルト
８１，８１１，８１２，８１３  股下インジケーター固定用ホットメルト
８１４  縦長ホットメルト
８２  腹側インジケーター固定用ホットメルト
８３  背側インジケーター固定用ホットメルト
９  コア固定用ホットメルト
１０，７３，７４，７５，１２１，１２２  弾性部材
１２  防漏カフ
１２０  防漏カフ形成用シート
Ａ  腹側部
Ｂ  背側部
Ｃ  股下部
Ｓ  サイドシール部
ＣＬ  おむつの縦方向に延びる中心線
Ｆ  折り線
【図１】
0005922339.tif 000004
【図２】
0005922339.tif 000005
【図３】
0005922339.tif 000006
【図４】
0005922339.tif 000007
【図５】
0005922339.tif 000008
【図６】
0005922339.tif 000009
【図７】
0005922339.tif 000010
【図８】
0005922339.tif 000011